(57)【要約】【課題】  家庭ごみを廃棄処理する際のプラスチック、ビニールなど焼却処理に障害のある物質または分別処理する場合の選別は、人間の目視、比重、反発力、色センサー、燃焼などによって行われている。しかし人間の目視ではコストが嵩む、比重によるものは設備が必要、反発力や色センサーでは精度が悪い、燃焼によるものは再利用可能なものも燃焼してしまう。【解決手段】  鉄粉及び鉄片を混入した接着剤の粘着されたラベルが貼付けられた非磁性体物質の仕分けを磁石吸引力で分別し、さらに、磁力の強弱で詳細分別するよう構成されている。【選択図】  図１
2005189678.tif 000002
【特許請求の範囲】
【請求項１】
鉄粉及び鉄片を混入した接着剤で粘着されたラベルを貼付した非磁性体物質と貼られていない非磁性体物質を、磁石の吸引力で分別することを特徴とする磁石による非磁性体物質の分別用ラベル。
【請求項２】
鉄粉及び鉄片の鉄質量を調整し接着剤で粘着されたラベルを貼付した非磁性体物質の各種を、鉄質量の加減と磁石の磁力の強弱の違いによって吸引し詳細分別することを特徴とする磁石により非磁性体物質を分別用ラベルを利用して分別する方法。
【発明の詳細な説明】
【技術分野】
【０００１】
本発明は、新規な構成を有する磁石による分別に好適な分別ラベルを非磁性体物質と一体化させ、磁石を利用して非磁性体物質を分別する方法に係るものである。
詳しくは、
１．家庭ごみを廃棄処理する際のプラスチック、ビニールなど焼却処理に障害のある物質または分別して処理した方が利点のある非磁性体物質を、あらかじめ鉄粉及び鉄片を調合混入した接着剤で粘着したラベルの面を利用して、焼却又はその他処理の前に磁石の吸引力によって吸着分別することができる。
２．上記１で分別したものをさらに鉄質量の加減と磁石の磁力の強弱により詳細分別することができる。
【背景技術】
【０００２】
従来、この種のものにあっては、下記のようなものになっている。
例えば、家庭ごみを廃棄処理する際のプラスチック、ビニールなど焼却処理に障害のある物質または分別して処理する場合は、下記のように処理されている。
１．人間の目視による選別。
２．比重選別。
３．反発力による分別。
４．色センサーによる分別。
５．燃焼分別。
（特許文献１、特許文献２参照）
【０００３】
【特許文献１】実開平３−１４６８０号公報
【特許文献２】実用新案登録第３０３２９４７号公報
【発明の開示】
【発明が解決しようとする課題】
【０００４】
従来の技術で述べたものにあっては、下記のような問題点を有していた。
１．人間の目視による選別の場合、人件費によるコストが嵩む。
２．比重選別の場合、水又は空気など媒体を利用するため設備が必要となる。
３．反発力による分別の場合、被処理物が多種類であると分別の精度が悪い。
４．色センサーによる分別の場合、被処理物が多種類であると分別の精度が悪い。
５．燃焼分別の場合、再利用可能な非磁性体物質も燃焼されてしまう。
【０００５】
本発明は、従来の技術の有するこのような問題点に鑑みなされたものであり、その目的とするところは、次のようなことのできるものを提供しようとするものである。
すなわち、
ごみ焼却炉の高温障害を少なくすることができる。
堆肥化時の未分解物質の混入を防ぐことができる。
リサイクル可能物分別ラインの合理化が可能である。
【課題を解決するための手段】
【０００６】
請求項１記載の発明は、鉄粉及び鉄片を混入した接着剤で粘着されたラベルを貼付した非磁性体物質と貼られていない非磁性体物質を、磁石の吸引力で分別することを特徴とするものである。
【０００７】
請求項２記載の発明は、鉄粉及び鉄片の鉄質量を調整し接着剤で粘着されたラベルを貼付した非磁性体物質の各種を、鉄質量の加減と磁石の磁力の強弱の違いによって詳細分別することを特徴とするものである。
【発明の効果】
【０００８】
本発明は、上述の通り構成されているので次に記載する効果を奏する。
１．家庭から出るごみ分別をより詳細に行っている地域が現在増加しつつ、各分別ごみを定められたビニール袋に入れる規定になっている。
集荷されたゴミをさらに分別する場合、非磁性体物質に鉄粉及び鉄片を調合混入した接着剤で粘着されたラベルを貼付けたものと、貼られていないものを磁石で分別する。
２．それらをさらに詳細分別しやすくするために、あらかじめ鉄粉及び鉄片の鉄質量を調整し、調合混入した接着剤で粘着されたラベルによって磁石の磁力の強弱によりさらに詳細分別が可能となり、分別された非磁性体物質は再利用、再生、燃焼エネルギーなどに有効な効果が得られる。
例えば、吸着分別された非磁性体物質であるプラスチック系、ビニール系、ナイロン系を各種分別するために、鉄粉あるいは鉄片の鉄質量を３段階に調合混入された接着剤をラベルに粘着させ、それをプラスチック系、ビニール系、ナイロン系にそれぞれ貼付けすることにより、分別時、磁石の磁力の強弱がそれぞれ2000ガウス、5000ガウス、10000 ガウス部の分別装置を通過させることにより各種分別が可能になる。
３．２項において現在磁気テープによる非磁性体物質仕分け方法があるが、磁石による情報異状変化があり得る。本発明では磁石吸引力の分別を応用する。
４．２項において文字、バーコードなどによる仕分けにさらに磁石吸引力を併せた仕分け方法で、よりミス仕分けを少なくする効果がある。
【発明を実施するための最良の形態】
【０００９】
発明の実施の形態を実施例に基づき図面を参照して説明する。
１は、第１発明としての磁石による非磁性体物質の第１種分別用ラベルで、ラベル体１Ａとラベル体の下面の鉄粉及び鉄片を調合混入した接着剤の層１Ｂから構成されている。（図１、２を参照する。）
Ａ．ラベル体１Ａは、紙、合成樹脂などを素材として平面方形など所望する形状に構成されている。
この場合、ラベル体１Ａの表面には用途に応じて、例えば公知の商品説明関係の表示１Ａ１あるいは商品情報関係の表示１Ａ２などが記載されている。
Ｂ．鉄粉及び鉄片を調合混入した接着剤の層１Ｂは、ラベル体１Ａの下面に積層状態で添着されている。
ｂ１．鉄粉及び鉄片を調合混入した接着剤の層１Ｂは、現在使用されている接着剤１Ｂ１に鉄粉及び鉄片１Ｂ２が、磁石に吸引されるべく調合混入された状態で構成されている。
ｂ２．図示は省略するが、鉄粉及び鉄片を調合混入した接着剤の層１Ｂの下面には、公知の剥離紙が必要に応じて添着されている。
Ｃ．図示は省略するが、第１種分別用ラベル１はセロテープ（登録商標）のように長い帯状に巻いたロール状に構成することができる。
【００１０】
第１発明の磁石による非磁性体物質の第１種分別用ラベル１は、下記のような磁石による非磁性体物質の第２種分別用ラベル２に構成することもできる。（図３〜６を参照する。）
【００１１】
Ａ．磁石による非磁性体物質の第２種分別用ラベル２は、袋状シート体２Ａと鉄粉及び鉄片２Ｂから構成されている。
ａ．袋状シート体２Ａは、紙、合成樹脂などを素材として平面方形など所望する形状に構成されている下方シート体２Ａ１と上方袋用シート体２Ａ２を重ねた状態で、その周囲を線状に接着することで、扁平な収納室２Ａ３を設けた状態に構成されている。
ａ１．下方シート体２Ａ１の下面には接着剤の層２Ａ４が添着されている。
なお、接着剤の層２Ａ４の下面には、公知の剥離紙が必要に応じて添着されている。
ａ２．上方袋用シート体２Ａ２の表面には用途に応じて、例えば公知の商品説明関係の表示あるいは商品情報関係の表示又は取扱いに関する情報などの記載が可能である。
Ｂ．鉄粉及び鉄片調合混入物２Ｂは扁平な収納室２Ａ３に充填されている。
この場合、鉄粉及び鉄片調合混入物２Ｂは、磁石に吸引される濃度に調整された状態で充填されている。
Ｃ．図３のように、第２種分別用ラベル２を切離し用ミシン穴２Ｈを介して長い帯状にして、セロテープ（登録商標）のようにロール状に巻いた状態に構成することができる。
【００１２】
第２発明は、鉄粉及び鉄片の鉄質量を調整し接着剤で粘着された第１種分別用ラベル１あるいは第２種分別用ラベル２を貼付した非磁性体物質の各種を、鉄質量の加減と磁石の磁力の違いによって吸引し、詳細分別することを可能とする磁石により非磁性体物質を分別する方法である。
下記の各工程から構成されている。
第１工程
分別が要求される樹脂容器などの非磁性体物質３における所望する箇所に、第１種分別用ラベル１又は第２種分別用ラベル２を貼付けラベルが貼付けられた非磁性体物質３Ｒを形成する。
非磁性体物質３としては下記のような例がある。
Ａ．分別ごみ用ビニール袋３１の場合、
図７のように袋の側面３１Ａに、第２種分別用ラベル２又は第１種分別用ラベル１を貼付ける。
Ｂ．樹脂容器３２の場合、
図８、９、１０のように蓋３２Ａや容器本体３２Ｂに、第１種分別用ラベル１又は第２種分別用ラベル２を貼付ける。
Ｃ．ペットボトル３３の場合、
図１１のようにキャップ３３Ａやボトル本体３３Ｂに、第１種分別用ラベル１又は第２種分別用ラベル２を貼付ける。
第２工程
混在している第１種分別用ラベル１又は第２種分別用ラベル２が貼付けられている非磁性体物質３Ｒと第１種分別用ラベル１又は第２種分別用ラベル２が貼付けられていない非磁性体物質４から、作業員又は機械的に支持する公知の磁石（図示略）、あるいは磁石を用いた分別装置５で第１種分別用ラベル１又は第２種分別用ラベル２を磁石の磁力で吸引して、第１種分別用ラベル１又は第２種分別用ラベル２が貼付けられている非磁性体物質３Ｒと第１種分別用ラベル１又は第２種分別用ラベル２が貼付けられていない非磁性体物質４とを分別する。
【実施例１】
【００１３】
第２発明の第２工程における分別装置５は、図１２を参照して下記のように構成されている。
左方に配置された左プーリー５Ａと、当該左プーリー５Ａと対応するよう右方に配置された磁力の強い磁石で構成された右上プーリー５Ｂと、当該右上プーリー５Ｂの下方に配置された磁力の弱い磁石で構成された右下プーリー５Ｃと、右上プーリー５Ｂと右下プーリー５Ｃとの中間でかつ少し左方位置に配置された内上プーリー５Ｄと内下プーリー５Ｅと、これら各プーリーに装着されたベルト５Ｆと、右上プーリー５Ｂの右下方に配置された上方分類箱５Ｇと、右上プーリー５Ｂの下端と右下プーリー５Ｃの上端間に配置された分類シュート５Ｈと、右下プーリー５Ｃの下面に配置された下左分類箱５Ｉと下右分類箱５Ｊから構成されている。
図中、５Ｋは上方シュートである。
【００１４】
当該ベルト５Ｆ上に、第１種分別用ラベル１又は第２種分別用ラベル２が貼付けられている非磁性体物質３Ｒの鉄質量の少ないラベルが貼付けられた非磁性体物質３Ｒ１と、鉄質量の多いラベルが貼付けられた非磁性体物質３Ｒ２と、第１種分別用ラベル１又は第２種分別用ラベル２が貼付けられていない非磁性体物質４が混在しており、これらを載せて移動させ、磁力の強い磁石で構成された右上プーリー５Ｂにより分別する。
第１種分別用ラベル１及び第２種分別用ラベル２の貼付けられた非磁性体物質３Ｒは分類シュート５Ｈに分別され、非磁性体物質４は上方分類箱５Ｇに分別される。
さらに、分類シュート５Ｈに分別された非磁性体物質を詳細に分別しやすくするために、あらかじめ鉄粉及び鉄片の鉄質量を調整し、接着剤で粘着されたラベルを貼付した非磁性体物質には、鉄質量の少ないラベルを貼付された非磁性体物質３Ｒ１と鉄質量の多いラベルを貼付された非磁性体物質３Ｒ２があり、分類シュート５Ｈより下方のベルト５Ｆに供給され、右下プーリー５Ｃにより吸引詳細分別され、鉄質量の少ないラベルの貼付された非磁性体物質３Ｒ１は下右分類箱５Ｊに分別され、鉄質量の多いラベルの貼付された非磁性体物質３Ｒ２は下左分類箱５Ｉに分別される。
第１種分別用ラベル１又は第２種分別用ラベル２と磁石の磁力の強弱の違いによって詳細分別することが可能である。
【図面の簡単な説明】
【００１５】
【図１】第１発明の１部を破断した斜視図である。
【図２】同上の要部を拡大した斜視図である。
【図３】第１発明の他の実施例の斜視図である。
【図４】同上の要部を拡大し１部を切欠いた斜視図である。
【図５】Ａ−Ａ線における要部の断面図である。
【図６】Ｂ−Ｂ線における要部の断面図である。
【図７】第２種分別用ラベルに係る分別ごみ用ビニール袋の場合を示す斜視図である。
【図８】第１種分別用ラベル又は第２種分別用ラベルに係る樹脂容器の場合を示す斜視図である。
【図９】同上の要部を拡大し１部を切欠いた斜視図である。
【図１０】Ｃ−Ｃ線断面図である。
【図１１】第１種分別用ラベル又は第２種分別用ラベルに係るペットボトルの場合を示す斜視図である。
【図１２】第２発明のベルトコンベヤに配設された磁石を利用した分別装置の実施例図である。
【符号の説明】
【００１６】
１  第１種分別用ラベル
１Ａ  ラベル体
１Ａ１  商品説明関係の表示
１Ａ２  商品情報関係の表示
１Ｂ  鉄粉及び鉄片を調合混入した接着剤の層
１Ｂ１  接着剤
１Ｂ２  鉄粉及び鉄片
２  第２種分別用ラベル
２Ａ  袋状シート体
２Ａ１  下方シート体
２Ａ２  上方袋用シート体
２Ａ３  扁平な収納室
２Ａ４  接着剤層
２Ｈ  切離し用ミシン穴
２Ｂ  鉄粉及び鉄片調合混入物
３  非磁性体物質
３Ｒ  分別用ラベルが貼付けられている非磁性体物質
３Ｒ１  鉄質量の少ないラベルが貼付けられた非磁性体物質
３Ｒ２  鉄質量の多いラベルが貼付けられた非磁性体物質
４  分別用ラベルが貼付けられていない非磁性体物質
５  分別装置
５Ａ  左プーリー
５Ｂ  右上プーリー
５Ｃ  右下プーリー
５Ｄ  内上プーリー
５Ｅ  内下プーリー
５Ｆ  ベルト
５Ｇ  上方分類箱
５Ｈ  分類シュート
５Ｉ  下左分類箱
５Ｊ  下右分類箱
５Ｋ  上方シュート
【図１】
2005189678.tif 000003
【図２】
2005189678.tif 000004
【図３】
2005189678.tif 000005
【図４】
2005189678.tif 000006
【図５】
2005189678.tif 000007
【図６】
2005189678.tif 000008
【図７】
2005189678.tif 000009
【図８】
2005189678.tif 000010
【図９】
2005189678.tif 000011
【図１０】
2005189678.tif 000012
【図１１】
2005189678.tif 000013
【図１２】
2005189678.tif 000014